(57)【特許請求の範囲】
【請求項１】
容器本体と、容器本体から出没可能となった２つの筆記体のそれぞれに対応して取り付けられ、容器本体内で移動可能に配設されるスライダーと、筆記体を容器本体内に退没する方向に付勢する付勢手段と、容器本体に対して回動可能となった回動体と、回動体の回動に伴ってスライダーに作動して対応する筆記体を容器本体から突出させる方向にスライダーを移動させる筆記体突出手段と、を備え、前記回動体は容器本体に対して３６０度左右いずれの方向にも回動可能となっており、筆記体が容器本体から突出している突出状態から回動体を左右いずれの方向に移動しても筆記体が容器本体内に退没した格納状態へと戻すことを可能にすることを特徴とする回動操作式筆記具。
【請求項２】
前記筆記体突出手段は、回動体と一体的に回動して円軌跡上を移動可能な作動部と、スライダーに設けられた被作動部と、を備え、円軌跡上を移動する作動部が被作動部に当接して作動可能となることを特徴とする請求項１記載の回動操作式筆記具。
【請求項３】
前記スライダーには、前記作動部が通過可能な通路が形成されることを特徴とする請求項２記載の回動操作式筆記具。
【請求項４】
前記通路の一端は、前記作動部が通路に入ることができず通路から出ることのみが可能となっていることを特徴とする請求項３記載の回動操作式筆記具。
【請求項５】
前記通路は、それの一端から他端に亘って傾斜した傾斜路を構成していることを特徴とする請求項３または４記載の回動操作式筆記具。
【請求項６】
前記作動部が一方のスライダーに作動してそのスライダーが取り付けられた筆記体が容器本体から突出している突出状態になっているときに、作動部の一部が、他方のスライダーに設けられた被作動部の通路内に挿入されることを特徴とする請求項３ないし５のいずれか１項に記載の回動操作式筆記具。
【請求項７】
前記作動部の回動軌跡は、前記容器本体内に収まることを特徴とする請求項２ないし６のいずれか１項に記載の回動操作式筆記具。
【請求項８】
前記被作動部は、作動部に当接する部分が、スライダーの移動方向に対して直交する方向に延びることを特徴とする請求項２ないし７のいずれか１項に記載の回動操作式筆記具。
【請求項９】
前記作動部は、円軌跡上を移動する際の径方向外側に平坦面を有することを特徴とする請求項８記載の回動操作式筆記具。
【請求項１０】
容器本体内にはそれぞれ筆記体に取り付けられた２つのスライダーが並んで配設されており、２つのスライダーの間に配置されてスライダーの後退を規制するストッパが容器本体に一体に設けられることを特徴とする請求項１ないし９のいずれか１項に記載の回動操作式筆記具。
【請求項１１】
前記回動体が、任意の品物を収容可能な内部空間を有していることを特徴とする請求項１ないし１０のいずれか１項に記載の回動操作式筆記具。
【請求項１２】
前記任意の品物が、ナイフ，定規，はさみ，耳かき、又は、ＵＳＢメモリの如き記憶媒体であることを特徴とする請求項１１に記載の回動操作式筆記具。
【発明の詳細な説明】
【技術分野】
【０００１】
本発明は、回動体の回動操作により、筆記体が出没する回動操作式筆記具に関する。
【背景技術】
【０００２】
従来、この種の回動操作式筆記具としては、特許文献１または２に記載されたものが知られている。これらの特許文献で開示される回動操作式筆記具は、筆記体を取り付けた移動体と、筆記体を出没可能に移動体を収納した容器本体と、筆記体を常時容器本体内に引き入れ状態に付勢する付勢手段と、容器本体に重ね合わせ一端部を回動可能に容器本体に支持させた回動体と、この回動体の回動に伴い移動体を介して筆記体の一方を容器本体から使用状態に突出させる筆記体突出手段とから構成されている。
【０００３】
筆記体突出手段は、移動体の後端に形成されたカム面と、回動体に設けたピンとからなる。そして、回動体を容器本体に関して左右１８０度回動させることで、ピンが移動してカム面に作動して、選択的に移動体を筆記体突出方向に移動させて筆記体を容器本体から突出させることができ、また逆方向に回動させることで、筆記体を容器本体内に退没させることができるようになっている。
【先行技術文献】
【特許文献】
【０００４】
【特許文献１】特開２００７−２７６３６５号公報
【特許文献２】特開２００９−１８４９８号公報
【発明の概要】
【発明が解決しようとする課題】
【０００５】
しかしながら、上記従来の回動操作式筆記具では、回動体が左右１８０度までしか回動できず、突出された筆記体を退没させるときには、回動体は一方方向しか移動しないため、回動方向を考慮して操作しなければならずその操作に煩わしさがある、という問題がある。
【０００６】
本発明は、かかる課題に鑑みなされたもので、その目的は、操作性の改良された回動操作式筆記具を提供することである。
【課題を解決するための手段】
【０００７】
上記目的を達成するために本発明による回動操作式筆記具は、容器本体と、容器本体から出没可能となった筆記体に取り付けられ、容器本体内で移動可能に配設される２つのスライダーと、筆記体を容器本体内に退没する方向に付勢する付勢手段と、容器本体に対して回動可能となった回動体と、回動体の回動に伴ってスライダーに作動して対応する筆記体を容器本体から突出させる方向にスライダーを移動させる筆記体突出手段と、を備え、前記回動体は容器本体に対して３６０度左右いずれの方向にも回動可能となっており、筆記体が容器本体から突出している突出状態から回動体を左右いずれの方向に移動しても筆記体が容器本体内に退没した格納状態へと戻すことを可能にすることを特徴とする。
【０００８】
さらに、前記筆記体突出手段は、回動体と一体的に回動して円軌跡上を移動可能な作動部と、スライダーに設けられた被作動部と、を備え、円軌跡上を移動する作動部が被作動部に当接して作動可能となることを特徴とする。
【０００９】
さらに、前記スライダーには、前記作動部が通過可能な通路が形成されることを特徴とする。
【００１０】
さらに、前記通路の一端は、前記作動部が通路に入ることができず通路から出ることのみが可能となっていることを特徴とする。
【００１１】
さらに、前記通路は、それの一端から他端に亘って傾斜した傾斜路を構成していることを特徴とする。
【００１２】
さらに、前記作動部が一方のスライダーに作動してそのスライダーが取り付けられた筆記体が容器本体から突出している突出状態になっているときに、作動部の一部が、他方のスライダーに設けられた被作動部の通路内に挿入されることを特徴とする。
【００１３】
さらに、前記作動部の回動軌跡は、前記容器本体内に収まることを特徴とする。
【００１４】
さらに、前記被作動部は、作動部に当接する部分が、スライダーの移動方向に対して直交する方向に延びることを特徴とする。
【００１５】
さらに、前記作動部は、円軌跡上を移動する際の径方向外側に平坦面を有することを特徴とする。
【００１６】
さらに、容器本体内にはそれぞれ筆記体に取り付けられた２つのスライダーが並んで配設されており、２つのスライダーの間に配置されてスライダーの後退を規制するストッパが容器本体に一体に設けられることを特徴とする。
さらに、前記回動体が、任意の品物を収容可能な内部空間を有していることを特徴とする。
さらに、前記任意の品物が、ナイフ，定規，はさみ，耳かき、又は、ＵＳＢメモリの如き記憶媒体であることを特徴とする。
【発明の効果】
【００１７】
本発明によれば、回動体が容器本体に対して３６０度左右いずれの方向にも回動可能となっていることから、突出された筆記体を退没させるときに、回動方向を考慮して操作する必要はなく、操作性の良いものとすることができる。
【図面の簡単な説明】
【００１８】
【図１】本発明の実施形態に係る回動操作式筆記具の格納状態を表す横断面図である。
【図２】本発明の実施形態に係る回動操作式筆記具の突出状態を表す横断面図(図４の２線矢視図)である。
【図３】（ａ）は回動操作式筆記具の格納状態を表す平面図であり、（ｂ）は回動操作式筆記具の突出状態を表す平面図である。
【図４】回動操作式筆記具の突出状態を表す縦断面図である。
【図５】回動操作式筆記具の格納状態の内部構造を表す斜視図である。
【図６】（ａ）はスライダーの平面図、（ｂ）はスライダーの側面図である。
【図７】図６の７−７線に沿って見た断面図である。
【図８】（ａ）は回動板の底面図、（ｂ）は回動板の側面図である。
【図９】回動体の横断面図（図４の９線矢視図）である。
【図１０】本発明の実施形態に係る回動操作式筆記具の作用を表す説明図である。
【発明を実施するための形態】
【００１９】
以下、図面を用いて本発明の実施形態を説明する。
【００２０】
図１ないし図４は、本発明の実施形態に係る回動操作式筆記具の主要部を表す図である。図において、回動操作式筆記具１０は、容器本体１２を備えており、容器本体１２は、本体ケース１４と、本体ケース１４に被せられた本体カバー１６とから構成されて、全体として長手方向を持った細長で扁平形状の外側形状を形成すると共に内側に底浅の内部空間を画成している。
【００２１】
図５に示したように、細長の本体ケース１４の長手方向先端には、１つ以上の凹部１４ａ、１４ａが形成されており、本体カバー１６と共に開口１２ａ、１２ａを画成する。さらに、本体ケース１４には、その内部に、先端付近から後部付近まで長手方向に延びる仕切壁１４ｂが形成されており、仕切壁１４ｂによって容器本体１２の内部空間は、後部を除き、並列した２つの区画１２ｂ、１２ｂに分割される。仕切壁１４ｂの後端には、円筒部１４ｃが形成される。円筒部１４ｃ内には、本体カバー１６からピン１６ａが挿入されて、この円筒部１４ｃとピン１６ａとで円柱形のストッパ１２ｃが構成される（図４参照）。さらに、各区画１２ｂにおいて、本体ケース１４の内壁側面からは、各区画１２ｂ内に延びるバネ受け壁１４ｄ、１４ｄが仕切壁１４ｂに対して直交する方向に形成される。
【００２２】
それぞれの区画１２ｂには、２つの筆記体２０と、各筆記体２０の後端に取り付けられるスライダー２２とが配設される。２つの筆記体２０は異なる種類の筆記体の組み合わせとすることができる（例えば、色の異なるボールペンレフィール等）。筆記体２０は、各区画１２ｂに沿って長手方向に移動可能となっており、そのペン先が前記開口１２ａから出没可能となっている。
【００２３】
スライダー２２は、可撓性を持ったプラスチック等からなり、区画１２ｂ内を移動可能となった成形品であり、図６に示したように、その先端側には、筆記体２０に連結される筆記体連結部２２ａと、筆記体連結部２２ａと平行にバネ受け部２２ｂとが形成される。バネ受け部２２ｂと前記バネ受け壁１４ｄとの間には、付勢手段としてのバネ２４が介挿されており、バネ２４によって、筆記体２０及びスライダー２２は、常時、後方へと付勢されており、よって筆記体２０のペン先が開口１２ａよりも容器本体内へ退没する方向に付勢されている。
【００２４】
スライダー２２の後端側は、肉薄な被作動部２２ｃとなっている。被作動部２２ｃの後端部分は、被作動部２２ｃの他の部分よりも肉厚な肉厚部２２ｄとなっており、その肉厚部２２ｄの後端面は長手方向に対して直交する平坦な端面となっている。被作動部２２ｃには、中心角を９０度とした円弧状の通路溝２２ｅが、内側面部分から後端面にかけて形成されている。通路溝２２ｅは、図７に示したように、その溝の深さが内側面部分から後端面にかけて漸次高くなるように形成された傾斜路となっており、肉厚部２２ｄの手前で溝の深さが０となるように形成される。
【００２５】
また、スライダー２２の内側面の後部は、部分的に切り欠かれたストッパ受け部２２ｆとなっており、このストッパ受け部２２ｆは、前記円柱形のストッパ１２ｃを受けることができるようになっている。
【００２６】
容器本体１２の内部空間の後部には、円形の回動板２８が配設される。図８に示すように、回動板２８の縁部の一部には、回動板２８の円形輪郭よりも一部がはみ出すようにして作動部としての円弧状の作動突起２８ａが形成される。但し、作動突起２８ａの径方向外側にある外縁部は、平坦面２８ｂとなっている。
【００２７】
作動部としての作動突起２８ａと、被作動部２２ｃとによって筆記体突出手段が構成される。
【００２８】
回動板２８の中心には中心軸２８ｃが形成されており、中心軸２８ｃは容器本体１２の本体カバー１６を貫通して、回動体３０内へと延びている。
【００２９】
回動体３０は、回動体ケース３２と、回動体カバー３４とから構成されて、全体として容器本体１２と同様の全体として長手方向を持った細長で扁平形状の外側形状を形成すると共に内側に内部空間を形成している。
【００３０】
回動体ケース３２には軸受部３２ａが形成されており、該軸受部３２ａが前記回動板２８の中心軸２８ｃに嵌合し、且つビス３６（図４参照）で固定連結されることで、回動体３０と回動板２８が一体的に回動するようになっており、回動体３０は容器本体１２に対して軸受部３２ａを中心として回動するようになっている。
【００３１】
図９に示すように、回動体３０の内部空間には、さらに、任意の品物４０（例えば、ナイフ、定規、はさみ、耳かき、記憶媒体（ＵＳＢメモリ）等）を収納可能となっている。品物４０は、回動体ケース３２の第２軸受部３２ｂにおいて、回動可能に軸支されており、回動体ケース３２の側面に形成された切欠部３２ｃから回動して展開されることが可能となっている。
【００３２】
以上のように構成される回動操作式筆記具の作用を説明する。
【００３３】
図３（ａ）に示すように、容器本体１２と回動体３０とが互いに完全に重なり合った状態では、複数の筆記体２０はいずれもそのペン先が容器本体１２内に退没した格納状態にある。この格納状態においては、図１に示すように、いずれのスライダー２２もそのストッパ受け部２２ｆがストッパ１２ｃに当接しており、これによってスライダー２２及び筆記体２０の後退が規制されている。また、このとき、回動板２８の作動突起２８ａは、その容器本体１２内の円軌跡上において開口１２ａと最も離れた後端側に位置している（図１０（ａ））。
【００３４】
この状態から、回動体３０を右回りまたは左回りのいずれかの方向に回動すると（図１０（ｂ））、回動板２８が一体に回動するので、作動突起２８ａが円軌跡上を移動して、作動突起２８ａの先導端となる一端がいずれか一方のスライダー２２の被作動部２２ｃの肉厚部２２ｄに当接する（図１０（ｃ））。すると、作動突起２８ａがスライダー２２を先端側に押圧するので、スライダー２２及び筆記体２０は、バネ２４の付勢力に抗して移動して、筆記体２０のペン先が容器本体１２の開口１２ａから突出することができる（図１０（ｄ））。そして、作動突起２８ａがさらに円軌跡上を移動すると、作動突起２８ａの一端は肉厚部２２ｄから外れて（図１０（ｅ））、作動突起２８ａの平坦面２８ｂが肉厚部２２ｄに対して摺動し、次いで、作動突起２８ａの一端は他方のスライダー２２の被作動部２２ｃの通路溝２２ｅに内側面側から進入する（図１０（ｆ））。この作動突起２８ａの一端が肉厚部２２ｄから外れて平坦面２８ｂが肉厚部２２ｄに接触する瞬間にクリック感を発生させることができる。
【００３５】
そして、回動体３０が１８０度回動して、回動板２８の作動突起２８ａがその容器本体１２内の円軌跡上において、開口１２ａに最も近寄った先端側に位置すると、作動突起２８ａの平坦面２８ｂが先端側に押したスライダー２２の被作動部２２ｃの肉厚部２２ｄの平坦な端面に面接触する（図１０（ｇ））。こうして、前進されたスライダー２２に連結された筆記体２０のペン先が容器本体１２の開口１２ａから突出した状態で安定する。よって、この突出状態で、回動体３０及び容器本体１２を把持して筆記を行うことができ、筆記力が作用しても筆記体２０は退没することなく、安定した筆記を行うことができる。また、この突出状態では、図３（ｂ）に示すように、回動体３０が容器本体１２に対して展開しているために、把持しやすいものとなっている。
【００３６】
併せて、回動板２８の作動突起２８ａの一端が他方のスライダー２２の通路溝２２ｅ内に進入しているために、他方のスライダー２２が不用意に動くことを阻止することができる。
【００３７】
筆記が終了して、突出した筆記体２０のペン先を退没させるには、回動体３０をいずれかの方向に回動させる。このときの回動方向は、先の回動方向と反対方向であっても同一方向であっても構わない。先の回動方向と反対方向に回動体３０を回動させたときには、作動突起２８ａは元来た円軌跡を戻り、スライダー２２及び筆記体２０は、バネ２４の付勢力によって後退する。また、先の回動方向と同一方向に回動体３０を回動させたときには、作動突起２８ａは、他方のスライダー２２の被作動部２２ｃの通路溝２２ｅを通過していく。こうして、作動突起２８ａが一方のスライダー２２の被作動部２２ｃから完全に外れると、スライダー２２及び筆記体２０がバネ２４の付勢力によって後退する（図１０（ｈ））。この作動突起２８ａが一方のスライダー２２の被作動部２２ｃから完全に離反する瞬間にクリック感を発生させることができる。さらに、回動体３０を回動させると（図１０（ｉ））、通路溝２２ｅの溝底は徐々に高くなっているので、作動突起２８ａが通路溝２２ｅを進んでいくに従って、被作動部２２ｃが若干撓むことになる。即ち、被作動部２２ｃが回動板２８から離れる方向に向かって若干撓むことで、作動突起２８ａの円軌跡上の移動を可能にする。作動突起２８ａが最後に肉厚部２２ｄを通過する際にクリック感を発生させて（図１０（ｊ））、回動体３０を元の状態に戻すことができる。
【００３８】
格納状態からの回動体３０の回動方向によって、ペン先を突出させる筆記体２０を選択することができる。また、突出状態においては、回動体３０をいずれの方向に回動させても、突出している筆記体２０のペン先を退没させることができる。
【００３９】
または、一方の筆記体２０のペン先が突出した突出状態から回動体３０を同一方向に回動させて、その筆記体２０のペン先を退没させた後（図１０（ｈ））、作動突起２８ａを他方のスライダー２２の被作動部２２ｃの通路溝２２ｅに完全に通過させる（図１０（ｊ））前に、回動体３０を反対方向に回動させると、全ての筆記体２０のペン先が退没した状態で、回動体３０を展開した状態にすることができる。
【００４０】
通路溝２２ｅの溝底がその内側面側で最も深くなっているので、作動突起２８ａは、通路溝２２ｅに内側面側から円滑に進入することができる一方で、通路溝２２ｅの溝底は、肉厚部２２ｄ側ではほとんど無くなっているので、肉厚部２２ｄ側である後側からは通路溝２２ｅに入ることができず出るだけとなっており、作動突起２８ａが後側から肉厚部２２ｄに接近したときに、通路溝２２ｅに進入することなく、肉厚部２２ｄに確実に当接して、そのスライダー２２を前方に押圧することができるようになっている。
【００４１】
こうして、回動体３０は、容器本体１２に対して左右のいずれの方向からも３６０度回動することができるので、突出した筆記体のペン先を退没させようとしたときに、回動体３０は左右のいずれの方向に回動してもよいため、回動方向を考慮して操作する必要はなく、操作性の良いものとすることができる。
【００４２】
作動突起２８ａの円軌跡は容器本体１２内に収まっているので、作動突起２８ａが容器本体１２から出入りする必要はなく、容器本体１２にそのための開口を設ける必要もない。
【００４３】
また、作動突起２８ａは円軌跡を移動するものの、その円軌跡によって長手方向に移動する距離の大部分を、スライダー２２を移動させるために利用できるため、スライダー２２のストローク量を大きく確保することができる。
【００４４】
また、格納状態において、２つのスライダー２２はそれらの間に設けられたストッパ１２ｃによって後方への移動が規制されており、ストッパ１２ｃが共有化されている。そのため、それぞれのスライダー２２に対してストッパを設ける必要がないため、容器本体内の内部空間を有効に利用することができる。
【００４５】
以上の実施形態において複数の部材で構成した部品を単一部材で構成することも可能であり、または単一の部材で構成した部品を複数の部材で構成することも可能である。
【符号の説明】
【００４６】
１０  回動操作式筆記具
１２  容器本体
１２ｃ  ストッパ
２０  筆記体
２２  スライダー
２２ｃ  被作動部（筆記体突出手段）
２２ｅ  通路溝
２４  バネ（付勢手段）
２８ａ  作動突起（作動部、筆記体突出手段）
３０  回動体
【図１】
0005639495.tif 000002
【図２】
0005639495.tif 000003
【図３】
0005639495.tif 000004
【図４】
0005639495.tif 000005
【図５】
0005639495.tif 000006
【図６】
0005639495.tif 000007
【図７】
0005639495.tif 000008
【図８】
0005639495.tif 000009
【図９】
0005639495.tif 000010
【図１０】
0005639495.tif 000011